(57)【要約】【課題】  複数のコンテンツの中から利用者が所望する関連性を有するコンテンツを抽出して一括して送信することができるコンテンツ送信装置、コンテンツ送信方法およびプログラムを提供する。【解決手段】  送信機器制御部１０は、メール本文を送信機器表示部１６に表示している状態で、送信機器入力部１７によってコンテンツ一括送信指示があると、抽出条件選択メニューを送信機器表示部１６に表示する。ユーザが送信機器表示部１６に表示された抽出条件選択メニューの中から送信機器入力部１７によって抽出条件を選択すると、  送信機器制御部１０は、送信候補となりうるメールのうちコンテンツが添付されたメールから、抽出条件に合致するメールに添付されているコンテンツを抽出する。そして、抽出したコンテンツを、送信機器第３通信部２０によって、順次コンテンツ受信機器３に送信する。【選択図】      図１
2011086195.tif 000002
【特許請求の範囲】
【請求項１】
電子メールを記憶し、電子メールにコンテンツが添付されているときは電子メールをコンテンツとともに記憶する記憶手段と、
コンテンツの送信を指示する指示手段と、
指示手段の指示に応答して、記憶手段に記憶される電子メールのうちコンテンツが添付される電子メールの中から予め定める抽出条件に合致する電子メールを抽出する抽出手段と、
抽出手段によって抽出された電子メールに添付されるコンテンツをコンテンツ受信装置に送信する送信手段とを含むことを特徴とするコンテンツ送信装置。
【請求項２】
前記送信手段によって送信されたコンテンツを、前記コンテンツ受信装置に該コンテンツに応じて処理させる処理方法を選択する処理方法選択手段をさらに含み、
前記送信手段は、前記抽出手段によって抽出されたコンテンツをコンテンツ受信装置に送信するとき、処理方法選択手段によって選択された処理方法を表す制御データも送信することを特徴とする請求項１に記載のコンテンツ送信装置。
【請求項３】
前記記憶手段に記憶される電子メールの中から電子メールを選択する電子メール選択手段をさらに含み、
前記電子メールは、複数のフィールドからなるヘッダ情報を含み、
前記予め定める抽出条件は、電子メール選択手段によって選択された電子メールのヘッダ情報の予め定めるフィールドの内容に一致する内容のフィールドがあるヘッダ情報を含む電子メールであることを特徴とする請求項１または２に記載のコンテンツ送信装置。
【請求項４】
前記複数のフィールドは、「Ｒｅｆｅｒｅｎｃｅ」フィールド、「Ｆｒｏｍ」フィールド、「Ｓｅｎｄｅｒ」フィールドおよび「Ｓｕｂｊｅｃｔ」フィールドを含み、
前記予め定めるフィールドは、「Ｒｅｆｅｒｅｎｃｅ」フィールド、「Ｆｒｏｍ」フィールド、「Ｓｅｎｄｅｒ」フィールドおよび「Ｓｕｂｊｅｃｔ」フィールドのうちのいずれか１つ、またはこれらのフィールドを組み合わせたフィールドであることを特徴とする請求項３に記載のコンテンツ送信装置。
【請求項５】
前記記憶手段に記憶される電子メールの中から電子メールを選択する電子メール選択手段をさらに含み、
前記記憶手段に記憶される電子メールに添付されるコンテンツには、コンテンツの属性を表す属性情報が付与され、
前記予め定める抽出条件は、電子メール選択手段によって選択された電子メールに添付されるコンテンツの属性情報に一致する属性情報を含む電子メールであることを特徴とする請求項１または２に記載のコンテンツ送信装置。
【請求項６】
前記属性情報は、コンテンツの拡張子、コンテンツの種別、コンテンツの作成日時およびコンテンツの受信日時のうちのいずれか１つ、またはこれらを組み合わせた属性情報であることを特徴とする請求項５に記載のコンテンツ送信装置。
【請求項７】
前記記憶手段に記憶される電子メールの中から電子メールを選択する電子メール選択手段をさらに含み、
前記電子メールは、キーワードを規定する「Ｋｅｙｗｏｒｄｓ」フィールドを含むヘッダ情報、およびメール本文を含み、
前記予め定める抽出条件は、電子メール選択手段によって選択された電子メールのヘッダ情報の「Ｋｅｙｗｏｒｄｓ」フィールドのキーワードに一致するキーワードを含むメール本文を含む電子メールであることを特徴とする請求項１または２に記載のコンテンツ送信装置。
【請求項８】
電子メールを記憶し、電子メールにコンテンツが添付されているときは電子メールをコンテンツとともに記憶する記憶手段、およびコンテンツの送信を指示する指示手段を含むコンテンツ送信装置によってコンテンツをコンテンツ受信装置に送信するコンテンツ送信方法であって、
指示手段の指示に応答して、記憶手段に記憶される電子メールのうちコンテンツが添付される電子メールの中から予め定める抽出条件に合致する電子メールを抽出する抽出ステップと、
抽出ステップで抽出された電子メールに添付されるコンテンツを送信する送信ステップとを含むことを特徴とするコンテンツ送信方法。
【請求項９】
電子メールを記憶し、電子メールにコンテンツが添付されているときは電子メールをコンテンツとともに記憶する記憶手段、コンテンツの送信を指示する指示手段、およびコンピュータを含むコンテンツ送信装置のコンピュータに、
指示手段の指示に応答して、記憶手段に記憶される電子メールのうちコンテンツが添付される電子メールの中から予め定める抽出条件に合致する電子メールを抽出する抽出ステップと、
抽出ステップで抽出された電子メールに添付されるコンテンツを送信する送信ステップとを実行させるためのプログラム。
【発明の詳細な説明】
【技術分野】
【０００１】
本発明は、コンテンツなどの情報が記憶される複数のファイルを一括して送信することができるコンテンツ送信装置、コンテンツ送信方法およびプログラムに関する。
【背景技術】
【０００２】
携帯電話機などの端末装置は、電子メールを用いて、個人間でのデータ交換を行うこと、あるいは企業からの広告配信サービスを受けることが可能である。このような端末装置は、電子メールに添付されるコンテンツあるいは広告配信サービスで受信したコンテンツを、映像表示装置あるいは映像録画装置などのコンテンツ受信装置に転送して、二次的に利用させることができるコンテンツ送信装置を構成する。
【０００３】
二次的な利用の例示としては、たとえば画像データの受信および表示が可能なテレビジョンなどの映像表示装置に対して、受信メールに添付された画像データなどのコンテンツを送信して表示させること、あるいは受信メールなどに添付された番組情報などのコンテンツを、ビデオレコーダなどの映像録画装置に送信して、番組の録画予約を実行させることなどがある。このように、携帯電話機などのコンテンツ送信装置が、受信メールに添付されたコンテンツなどを転送することによって、コンテンツの二次的利用が可能になるので、従来必要であった操作を簡便化することができ、また新たな付加機能を与えることもできる。
【０００４】
特許文献１に記載される電子ファイル一括送信装置は、送信すべきファイルを認識するためのパターン一致規則を格納する規則記憶部と、転送候補ファイルの中から前記パターン一致規則に一致するファイルを読み出して、該ファイルの転送要否を判定する転送判定部とを有する。転送判定部は、転送開始の信号と、最初に転送するファイル名を受信すると、そのファイル名のファイルを蓄積部から読み出すとともに、規則記憶部から規則情報を読み出す。そして、読み出した規則情報に基づいて、転送に必要となる他のファイルを選択して蓄積部から読み出す。読み出されたファイルは、全体が一つの転送ファイルとされて、蓄積コンピュータへ送信される。ファイルの選択は、ファイルの拡張子またはファイル名によって行われる。ファイルの拡張子またはファイル名によって選択するので、ファイル間の関連度は低い。
【０００５】
特許文献２に記載されるデータ出力方法は、パーソナルコンピュータおよびワークステーションなどのコンピュータの記憶部に記憶されるフォルダの中から選択されたフォルダ内に格納されているすべてのファイルを、指定された順序で一括してファクシミリ送信、電子メール送信、または印刷等に出力する。フォルダは、ファクシミリクライアントフォルダ、電子メールフォルダおよびワープロフォルダなどを含んでいる。電子メールフォルダに格納されるファイルには、電子メール送受信ファイルが含まれている。
【０００６】
特許文献３に記載される電子商取引システムは、グルーピング条件を生成してサーバに送信するクライアントと、クライアントから受信したグルーピング条件で要求された複数のデータファイルを１つのファイル転送プロトコル（以下「ＦＴＰ」という）セッションでクライアントに転送するサーバとから構成される。グルーピング条件は、ユーザが指定した複数のデータファイルを１つのＦＴＰセッションで転送するように、クライアントがサーバに要求する条件である。グルーピング条件は、階層であり、サーバは、クライアントから指定された階層に含まれるすべてのファイルを読み出して、１つのＦＴＰセッションでクライアントに転送する。この電子商取引システムは、グルーピングされたファイル群の単位でファイルの転送を行うことができる。
【先行技術文献】
【特許文献】
【０００７】
【特許文献１】特開平１０−３０７７６８号公報
【特許文献２】特開２００２−２０９０７３号公報
【特許文献３】特開２００１−９２７８０号公報
【発明の概要】
【発明が解決しようとする課題】
【０００８】
しかしながら、従来の技術によるコンテンツ送信装置の多くは、電子メールに添付された画像データなどのコンテンツを、他の装置に送信するとき、利用者はコンテンツを１つずつ送信しなければならないという問題がある。
【０００９】
特許文献１に記載される電子ファイル一括送信装置は、パターン一致規則に一致するファイルを抽出して一括送信するものであるが、パターン一致規則は、ファイルの拡張子またはファイル名に基づいて行われるので、必ずしも利用者が希望する関連性のあるファイルであるとは限らない。特許文献２に記載されるデータ出力方法は、選択されたフォルダ内のファイルを一括送信し、特許文献３に記載される電子商取引システムは、指定された階層に含まれるすべてのファイルを一括送信するものであり、利用者が希望する関連性があるファイルが、同じフォルダ内あるいは階層下にあるとは限らない。
【００１０】
本発明の目的は、複数のコンテンツの中から利用者が所望する関連性を有するコンテンツを抽出して一括して送信することができるコンテンツ送信装置、コンテンツ送信方法およびプログラムを提供することである。
【課題を解決するための手段】
【００１１】
本発明は、電子メールを記憶し、電子メールにコンテンツが添付されているときは電子メールをコンテンツとともに記憶する記憶手段と、
コンテンツの送信を指示する指示手段と、
指示手段の指示に応答して、記憶手段に記憶される電子メールのうちコンテンツが添付される電子メールの中から予め定める抽出条件に合致する電子メールを抽出する抽出手段と、
抽出手段によって抽出された電子メールに添付されるコンテンツをコンテンツ受信装置に送信する送信手段とを含むことを特徴とするコンテンツ送信装置である。
【００１２】
また本発明は、前記送信手段によって送信されたコンテンツを前記コンテンツ受信装置に該コンテンツに応じて処理させる処理方法を選択する処理方法選択手段をさらに含み、
前記送信手段は、前記抽出手段によって抽出されたコンテンツをコンテンツ受信装置に送信するとき、処理方法選択手段によって選択された処理方法を表す制御データも送信することを特徴とする。
【００１３】
また本発明は、前記記憶手段に記憶される電子メールの中から電子メールを選択する電子メール選択手段をさらに含み、
前記電子メールは、複数のフィールドからなるヘッダ情報を含み、
前記予め定める抽出条件は、電子メール選択手段によって選択された電子メールのヘッダ情報の予め定めるフィールドの内容に一致する内容のフィールドがあるヘッダ情報を含む電子メールであることを特徴とする。
【００１４】
また本発明は、前記複数のフィールドは、「Ｒｅｆｅｒｅｎｃｅ」フィールド、「Ｆｒｏｍ」フィールド、「Ｓｅｎｄｅｒ」フィールドおよび「Ｓｕｂｊｅｃｔ」フィールドを含み、
前記予め定めるフィールドは、「Ｒｅｆｅｒｅｎｃｅ」フィールド、「Ｆｒｏｍ」フィールド、「Ｓｅｎｄｅｒ」フィールドおよび「Ｓｕｂｊｅｃｔ」フィールドのうちのいずれか１つ、またはこれらのフィールドを組み合わせたフィールドであることを特徴とする。
【００１５】
また本発明は、前記記憶手段に記憶される電子メールの中から電子メールを選択する電子メール選択手段をさらに含み、
前記記憶手段に記憶される電子メールに添付されるコンテンツには、コンテンツの属性を表す属性情報が付与され、
前記予め定める抽出条件は、電子メール選択手段によって選択された電子メールに添付されるコンテンツの属性情報に一致する属性情報を含む電子メールであることを特徴とする。
【００１６】
また本発明は、前記属性情報は、コンテンツの拡張子、コンテンツの種別、コンテンツの作成日時およびコンテンツの受信日時のうちのいずれか１つ、またはこれらを組み合わせた属性情報であることを特徴とする。
【００１７】
また本発明は、前記記憶手段に記憶される電子メールの中から電子メールを選択する電子メール選択手段をさらに含み、
前記電子メールは、キーワードを規定する「Ｋｅｙｗｏｒｄｓ」フィールドを含むヘッダ情報、およびメール本文を含み、
前記予め定める抽出条件は、電子メール選択手段によって選択された電子メールのヘッダ情報の「Ｋｅｙｗｏｒｄｓ」フィールドのキーワードに一致するキーワードを含むメール本文を含む電子メールであることを特徴とする。
【００１８】
また本発明は、電子メールを記憶し、電子メールにコンテンツが添付されているときは電子メールをコンテンツとともに記憶する記憶手段、およびコンテンツの送信を指示する指示手段を含むコンテンツ送信装置によってコンテンツをコンテンツ受信装置に送信するコンテンツ送信方法であって、
指示手段の指示に応答して、記憶手段に記憶される電子メールのうちコンテンツが添付される電子メールの中から予め定める抽出条件に合致する電子メールを抽出する抽出ステップと、
抽出ステップで抽出された電子メールに添付されるコンテンツを送信する送信ステップとを含むことを特徴とするコンテンツ送信方法である。
【００１９】
また本発明は、電子メールを記憶し、電子メールにコンテンツが添付されているときは電子メールをコンテンツとともに記憶する記憶手段、コンテンツの送信を指示する指示手段、およびコンピュータを含むコンテンツ送信装置のコンピュータに、
指示手段の指示に応答して、記憶手段に記憶される電子メールのうちコンテンツが添付される電子メールの中から予め定める抽出条件に合致する電子メールを抽出する抽出ステップと、
抽出ステップで抽出された電子メールに添付されるコンテンツを送信する送信ステップとを実行させるためのプログラムである。
【発明の効果】
【００２０】
本発明によれば、記憶手段によって、電子メールが記憶され、電子メールにコンテンツが添付されているときは電子メールがコンテンツとともに記憶される。指示手段によって、コンテンツの送信が指示される。抽出手段によって、指示手段の指示に応答して、記憶手段に記憶される電子メールのうちコンテンツが添付される電子メールの中から予め定める抽出条件に合致する電子メールが抽出される。そして、送信手段によって、抽出手段によって抽出された電子メールに添付されるコンテンツがコンテンツ受信装置に送信される。
【００２１】
したがって、予め定める抽出条件に合致する関連するコンテンツをコンテンツ受信装置にまとめて送信することができ、ユーザの操作負担を軽減し利便性を向上することができる。
【００２２】
また本発明によれば、処理方法選択手段によって、前記送信手段によって送信されたコンテンツを前記コンテンツ受信装置に該コンテンツに応じて処理させる処理方法が選択される。前記送信手段によって、前記抽出手段によって抽出されたコンテンツをコンテンツ受信装置に送信するとき、処理方法選択手段によって選択された処理方法を表す制御データも送信される。したがって、コンテンツの送信とともに、そのコンテンツの処理方法もコンテンツ受信装置に指示することができる。
【００２３】
また本発明によれば、電子メール選択手段によって、前記記憶手段に記憶される電子メールの中から電子メールが選択される。そして、前記電子メールは、複数のフィールドからなるヘッダ情報を含み、前記予め定める抽出条件は、電子メール選択手段によって選択された電子メールのヘッダ情報の予め定めるフィールドの内容に一致する内容のフィールドがあるヘッダ情報を含む電子メールであることである。したがって、抽出条件として電子メールのヘッダ情報を用いるので、より関連度の高いコンテンツ群を抽出することができる。
【００２４】
また本発明によれば、前記複数のフィールドは、「Ｒｅｆｅｒｅｎｃｅ」フィールド、「Ｆｒｏｍ」フィールド、「Ｓｅｎｄｅｒ」フィールドおよび「Ｓｕｂｊｅｃｔ」フィールドを含み、前記予め定めるフィールドは、「Ｒｅｆｅｒｅｎｃｅ」フィールド、「Ｆｒｏｍ」フィールド、「Ｓｅｎｄｅｒ」フィールドおよび「Ｓｕｂｊｅｃｔ」フィールドのうちのいずれか１つ、またはこれらのフィールドを組み合わせたフィールドである。したがって、抽出条件として電子メールのヘッダ情報に含まれるフィールドの内容を用いるので、より関連度の高いコンテンツ群を抽出することができる。
【００２５】
また本発明によれば、電子メール選択手段によって、前記記憶手段に記憶される電子メールの中から電子メールが選択される。前記記憶手段に記憶される電子メールに添付されるコンテンツには、コンテンツの属性を表す属性情報が付与され、前記予め定める抽出条件は、電子メール選択手段によって選択された電子メールに添付されるコンテンツの属性情報に一致する属性情報を含む電子メールであることである。したがって、抽出条件としてコンテンツの属性情報を用いるので、関連度の高いコンテンツ群を抽出することができる。
【００２６】
また本発明によれば、前記属性情報は、コンテンツの拡張子、コンテンツの種別、コンテンツの作成日時およびコンテンツの受信日時のうちのいずれか１つ、またはこれらを組み合わせた属性情報である。したがって、抽出条件としてコンテンツの属性情報のうち、拡張子、種別、作成日時または受信日時を用いるので、より関連度の高いコンテンツ群を抽出することができる。
【００２７】
また本発明によれば、電子メール選択手段によって、前記記憶手段に記憶される電子メールの中から電子メールが選択される。そして、前記電子メールは、キーワードを規定する「Ｋｅｙｗｏｒｄｓ」フィールドを含むヘッダ情報、およびメール本文を含み、前記予め定める抽出条件は、電子メール選択手段によって選択された電子メールのヘッダ情報の「Ｋｅｙｗｏｒｄｓ」フィールドのキーワードに一致するキーワードを含むメール本文を含む電子メールであることである。したがって、電子メールの本文にキーワードがあるか否かでコンテンツを抽出することができる。
【００２８】
また本発明によれば、電子メールを記憶し、電子メールにコンテンツが添付されているときは電子メールをコンテンツとともに記憶する記憶手段およびコンテンツの送信を指示する指示手段を含むコンテンツ送信装置によってコンテンツをコンテンツ受信装置に送信するにあたって、抽出ステップでは、指示手段の指示に応答して、記憶手段に記憶される電子メールのうちコンテンツが添付される電子メールの中から予め定める抽出条件に合致する電子メールを抽出する。そして、送信ステップでは、抽出ステップで抽出された電子メールに添付されるコンテンツを送信する。したがって、関連するコンテンツをコンテンツ受信装置にまとめて送信することができ、ユーザの操作負担を軽減し利便性を向上することができる。
【００２９】
また本発明によれば、電子メールを記憶し、電子メールにコンテンツが添付されているときは電子メールをコンテンツとともに記憶する記憶手段、コンテンツの送信を指示する指示手段、およびコンピュータを含むコンテンツ送信装置のコンピュータに、指示手段の指示に応答して、記憶手段に記憶される電子メールのうちコンテンツが添付される電子メールの中から予め定める抽出条件に合致する電子メールを抽出する抽出ステップと、抽出ステップで抽出された電子メールに添付されるコンテンツを送信する送信ステップとを実行させるためのプログラムとして提供することができる。
【図面の簡単な説明】
【００３０】
【図１】本発明の一実施形態であるコンテンツ送信機器１の構成を示すブロック図である。
【図２】コンテンツ送信機器１が送受信する電子メールのデータ構造４０を示す図である。
【図３】受信メール一覧画面５０を示す図である。
【図４】受信メールの内容を表示する詳細表示画面５１を示す図である。
【図５】表示した受信メールに対する操作メニュー５２１を示す図である。
【図６】表示した受信メールに対応するヘッダ情報５３１を示す図である。
【図７】「Ｒｅｆｅｒｅｎｃｅ」フィールドの内容で抽出されたコンテンツ群５４を示す図である。
【図８】コンテンツ群５４に対する一括スライドショー指示を説明するための図である。
【図９】番組情報に関する受信メール一覧画面６０を示す図である。
【図１０】受信メールの内容を表示する詳細表示画面６１を示す図である。
【図１１】表示した受信メールに対する操作メニュー６２１を示す図である。
【図１２】表示した受信メールに対応するヘッダ情報６３１を示す図である。
【図１３】「Ｆｒｏｍ」フィールドの内容で抽出されたコンテンツ群６４を示す図である。
【図１４】コンテンツ群６４に対する一括録画予約指示を説明するための図である。
【図１５】抽出条件選択メニュー６５１を示す図である。
【図１６】送信機器制御部１０が処理するコンテンツ送信処理の処理手順を示すフローチャートである。
【図１７】送信機器制御部１０が処理する送信コンテンツ抽出処理の処理手順を示すフローチャートである。
【発明を実施するための形態】
【００３１】
図１は、本発明の一実施形態であるコンテンツ送信機器１の構成を示すブロック図である。コンテンツ送信装置であるコンテンツ送信機器１は、たとえば携帯電話機などの端末装置またはパーソナルコンピュータなどによって構成される。本発明に係るコンテンツ送信方法は、コンテンツ送信機器１で実行される。
【００３２】
コンテンツ送信機器１は、無線通信によって基地局５および電話網６を介して他のコンテンツ送信装置などの装置と通信可能である。また、コンテンツ送信機器１は、ルータあるいはアクセスポイントなどの通信部２を介してネットワークによって、コンテンツ受信装置であるコンテンツ受信機器３と接続され、あるいは通信用インタフェースによってコンテンツ受信機器３と直接接続される。
【００３３】
コンテンツ送信機器１は、送信機器制御部１０、送信機器記憶部１１、送信機器一時記憶部１２、記録媒体アクセス部１３、送信機器ビデオディスプレイプロセッサ（Video 
Display Processor；以下「ＶＤＰ」という）１４、送信機器ビデオＲＡＭ（Video 
Random Access Memory；以下「ＶＲＡＭ」という）１５、送信機器表示部１６、送信機器入力部１７、送信機器第１通信部１８、送信機器第２通信部１９、送信機器第３通信部２０およびアンテナ２１を含んで構成される。
【００３４】
抽出手段である送信機器制御部１０は、たとえば中央処理装置（Central Processing 
Unit；以下「ＣＰＵ」という）によって構成され、送信機器記憶部１１に記憶されるプログラムを実行することによって、記録媒体アクセス部１３、送信機器ＶＤＰ１４、送信機器入力部１７、送信機器第１通信部１８、送信機器第２通信部１９および送信機器第３通信部２０を制御する。図１に示した例では、送信機器制御部１０をＣＰＵによって構成しているが、演算機能を有する集積回路化された論理回路などによって構成してもよい。ＣＰＵは、コンテンツ送信機器１のコンピュータである。
【００３５】
記憶手段である送信機器記憶部１１は、たとえばフラッシュメモリなどの不揮発性メモリによって構成され、プログラムを記憶するためのプログラム部１１１とデータを記憶するためのデータ部１１３とから構成される。プログラム部１１１は、ＣＰＵによって実行されるプログラムを記憶する領域であり、たとえばデータ抽出判定部１１２のプログラムを記憶する。データ部１１３は、ＣＰＵによってデータの書き込みおよび読み出しが行われる領域であり、たとえばデータ抽出パターン１１４などのデータ、および送信機器第１通信部１８によって受信した電子メールを記憶する。
【００３６】
送信機器一時記憶部１２は、たとえばＤＲＡＭ（Dynamic Random Access Memory）などの半導体メモリによって構成されるワークメモリであり、揮発性のメモリであってもよい。送信機器一時記憶部１２に記憶されるデータは、送信機器制御部１０が制御を行うために必要なデータであり、送信機器制御部１０が書き込みおよび読み出しを行う。
【００３７】
記録媒体アクセス部１３は、メモリカードなどの着脱可能な記録媒体４を装着する装着部を含み、装着部に装着された記録媒体４へのデータの書き込みおよび読み出しを行うことができる。記録媒体アクセス部１３は、記録媒体４から読み出したデータ、たとえば電子メールを送信機器制御部１０に送る。記録媒体にプログラムが記憶されているときは、記憶されているプログラムを読み出して、送信機器記憶部１１にロードすることも可能である。
【００３８】
送信機器ＶＤＰ１４は、送信機器制御部１０からの描画指示に応じて、送信機器記憶部１１のデータ部１１３に記憶されるフォントデータおよび図形データを用いて、表示すべき画像の画像データを送信機器ＶＲＡＭ１５上に生成する。そして、送信機器ＶＲＡＭ１５上に生成した画像データを読み出し、読み出した画像データを送信機器表示部１６に送り、画像として表示させる。送信機器ＶＲＡＭ１５は、たとえばＲＡＭ（Random Access Memory）などの半導体メモリによって構成され、画像データを一時的に記憶するためのメモリである。送信機器ＶＲＡＭ１５は、送信機器ＶＤＰ１４によって画像データが書き込まれあるいは読み出される。
【００３９】
送信機器表示部１６は、たとえば液晶ディスプレイによって構成され、送信機器ＶＤＰ１４から受け取る画像データを画像として表示する。送信機器制御部１０が送信機器ＶＤＰ１４を制御して画像を送信機器表示部１６に表示することを、以下単に送信機器制御部１０が送信機器表示部１６に画像を表示するということがある。
【００４０】
指示手段、処理方法選択手段および電子メール選択手段である送信機器入力部１７は、図示しない複数の操作ボタンを含んで構成される。送信機器入力部１７は、ユーザによっていずれかの操作ボタンが押下されると、押下された操作ボタンが操作されたことを表すボタン操作情報を送信機器制御部１０に送る。送信機器制御部１０は、受け取ったボタン操作情報によってどの操作ボタンが操作されたかを認識し、認識した操作ボタンが操作されたことによって処理すべき処理を実行する。操作ボタンの操作には、たとえばメニューの選択などの操作が含まれる。ボタン操作情報には、短押操作か長押操作かなどの情報を含めてもよい。
【００４１】
送信機器第１通信部１８は、アンテナ２１によって無線電波を送受信して、電話網６に接続されている基地局５と無線通信する。すなわち、送信機器第１通信部１８は、基地局５を介して電話網６に接続される他の端末装置などの装置と情報の送受信を行うことができる。送信機器第１通信部１８は、無線電波が届く最寄りの基地局５と通信を行う。送信機器第１通信部１８は、送信機器制御部１０から受け取る情報を、送信機器制御部１０から指示される周波数の通信信号に変調してアンテナ２１に送る。また、送信機器第１通信部１８は、アンテナ２１が受信した通信信号を復調し、復調した情報を送信機器制御部１０に送る。
【００４２】
送信機器第１通信部１８によって送受信される情報は、音声データ、文字データおよび画像データなどのデータ、ならびに電子メール（以下単に「メール」ともいう）などの情報を含む。送信機器第１通信部１８は、基地局５と通信することによって基地局５の位置を示す基地局位置情報を取得可能であり、送信機器制御部１０からの指示に応じて、取得した基地局位置情報を送信機器制御部１０に送る。送信機器制御部１０は、送信機器第１通信部１８から受け取る基地局位置情報に基づいて、コンテンツ送信機器１の位置をおおまかに把握することができる。
【００４３】
送信機器第２通信部１９は、たとえばイーサネット（登録商標）によってローカルエリアネットワーク（以下「ＬＡＮ」という）に接続され、ＬＡＮに接続される通信部２を介してコンテンツ受信機器３と情報の送受信を行う。通信部２は、インターネット７にも接続されている。図１には、イーサネットを用いてコンテンツ受信機器３と通信を行う例を示しているが、イーサネットに限定されるものではなく、他の有線通信技術を用いて通信を行ってもよい。送信機器第２通信部１９は、送信機器制御部１０から受け取る情報を、通信部２を介してコンテンツ受信機器３に送信し、コンテンツ受信機器３から通信部２を介して受信する情報を送信機器制御部１０に送る。
【００４４】
送信手段である送信機器第３通信部２０は、有線通信または無線通信によってコンテンツ受信機器３と情報の送受信を行う。有線通信を用いる場合は、たとえばユニバーサルシリアルバス（以下「ＵＳＢ（登録商標）」という）による通信用インタフェースを用いて行うが、他の規格による通信用インタフェースであってもよい。たとえばセントロニクス準拠の規格によるパラレル転送のインタフェースでもよい。ＩＥＥＥ（Institute of 
Electrical and Electronic Engineers）１３９４あるいはＳＣＳＩ（Small Computer 
System Interface）などの規格に基づく通信用インタフェースを用いてもよい。
【００４５】
無線通信を用いる場合は、たとえばＢｌｕｅｔｏｏｔｈ（登録商標）による通信用インタフェースを用いて行うが、他の規格による通信用インタフェースであってもよい。たとえば赤外線を用いた通信用インタフェースであってもよい。送信機器第３通信部２０は、送信機器制御部１０から受け取る情報、たとえば画像データなどのデータをコンテンツ受信機器３に送信し、コンテンツ受信機器３から受信する情報を送信機器制御部１０に送る。
図１に示したコンテンツ送信機器１では、通信部を、送信機器第１通信部１８、送信機器第２通信部１９、および送信機器第３通信部２０の３つの通信部によって構成したが、メールを送受信するための通信部、たとえば送信機器第１通信部１８と、コンテンツ受信機器３にコンテンツを送信するための通信部、たとえば送信機器第２通信部１９および送信機器第３通信部２０のうちのいずれか１つの通信部との２つの通信部から構成してもよい。あるいは、メールを送受信する機能とコンテンツ受信機器３にコンテンツを送信する機能とを有する１つの通信部によって構成してもよい。
【００４６】
コンテンツ受信機器３は、たとえばテレビジョンなどの映像表示装置、ビデオ機器などの映像録画装置、車両に搭載されるカーナビゲーションシステム、あるいはハードディスク装置などの外部記憶装置である。コンテンツ受信機器３は、受信機器制御部３０、受信機器記憶部３１、受信機器一時記憶部３２、データ処理部３３、受信機器ＶＤＰ３４、受信機器ＶＲＡＭ３５、受信機器表示部３６、受信機器入力部３７、受信機器第２通信部３８および受信機器第３通信部３９を含んで構成される。
【００４７】
受信機器制御部３０は、たとえばＣＰＵによって構成され、受信機器記憶部３１に記憶されるプログラムを実行することによって、データ処理部３３、受信機器ＶＤＰ３４、受信機器入力部３７、受信機器第２通信部３８および受信機器第３通信部３９を制御する。図１に示した例では、受信機器制御部３０をＣＰＵによって構成しているが、演算機能を有する集積回路化された論理回路などによって構成してもよい。
【００４８】
受信機器記憶部３１は、たとえばフラッシュメモリなどの不揮発性メモリによって構成され、プログラムを記憶するためのプログラム部３１１を含む。プログラム部３１１は、ＣＰＵによって実行されるプログラムを記憶する領域である。受信機器一時記憶部３２、受信機器ＶＤＰ３４、受信機器ＶＲＡＭ３５、受信機器表示部３６、受信機器入力部３７および受信機器第２通信部３８は、それぞれ送信機器一時記憶部１２、送信機器ＶＤＰ１４、送信機器ＶＲＡＭ１５、送信機器表示部１６、送信機器入力部１７および送信機器第２通信部１９に相当する構成であり、重複を避けるため説明は省略する。
【００４９】
データ処理部３３は、受信機器制御部３０から、受信機器表示部３６に画像を表示させるための表示指示を受けると、受信機器第３通信部３９を経由して受信した画像データを取得し、取得した画像データを受信機器ＶＤＰ３４に送る。受信機器ＶＤＰ３４は、データ処理部３３から画像データを受け取ると、受け取った画像データに基づく画像を受信機器表示部３６に表示させる。
【００５０】
受信機器第３通信部３９は、送信機器第３通信部２０に相当する構成であり、有線通信または無線通信によって送信機器第３通信部２０と情報の送受信を行う。受信機器第３通信部３９は、送信機器第３通信部２０から受け取る情報を受信機器制御部３０に送る。受信機器制御部３０は、受信機器第３通信部３９から受け取った情報が画像データであるときは、その画像データを受信機器記憶部３１に記憶する。受信機器第３通信部３９から受け取った情報が制御データであるときは、その制御データに応じた処理を行う。制御データは、処理方法を表すデータであり、たとえば制御データが一括録画予約の処理方法を表すデータであるときは、処理方法として一括録画予約の処理を行う。
【００５１】
図２は、コンテンツ送信機器１が送受信する電子メールのデータ構造４０を示す図である。電子メールのデータ構造４０は、電子メールのフォーマットとして一般的に用いられるものであり、メールヘッダ４１、メール本文４２および添付データ４３を含んで構成される。図２には、バイナリ形式である実際のテキストデータおよびバイナリ形式である実際のイメージデータを除き、行ごとに項目およびその項目の説明を示している。項目のことを、以下フィールドともいう。
【００５２】
ヘッダ情報であるメールヘッダ４１は、「Ｆｒｏｍ」、「Ｓｅｎｄｅｒ」、「Ｔｏ」、「Ｓｕｂｊｅｃｔ」、「Ｃｏｍｍｅｎｔｓ」、「Ｋｅｙｗｏｒｄｓ」、「Ｒｅｐｌｙ−Ｔｏ」、「Ｉｎ−Ｒｅｐｌｙ−Ｔｏ」、「Ｒｅｆｅｒｅｎｃｅｓ（以下「Ｒｅｆｅｒｅｎｃｅ」ともいう」、「Ｍｅｓｓａｇｅ−ＩＤ」、「Ｄａｔｅ」、「Ｒｅｃｅｉｖｅｄ」、「ＭＩＭＥ−Ｖｅｒｓｉｏｎ」、「Ｃｏｎｔｅｎｔ−Ｔｙｐｅ」および「Ｃｏｎｔｅｎｔ−Ｔｒａｎｓｆｅｒ−Ｅｎｃｏｄｉｎｇ」の項目を含む。
【００５３】
「Ｆｒｏｍ」は、差出人アドレスである。「Ｓｅｎｄｅｒ」は、実際の差出人のアドレスである。「Ｔｏ」は、宛先アドレスである。「Ｓｕｂｊｅｃｔ」は、メール件名である。「Ｃｏｍｍｅｎｔｓ」は、任意のコメントである。「Ｋｅｙｗｏｒｄｓ」は、メール本文においてキーワードとなる単語などを指定する。「Ｒｅｐｌｙ−Ｔｏ」は、メールの返信先であり、指定されていない場合には、通常Ｆｒｏｍが返信先として使用される。「Ｉｎ−Ｒｅｐｌｙ−Ｔｏ」は、返信時に、どのメールへの返信かを示す。通常はＭｅｓｓａｇｅ−ＩＤが指定される。「Ｒｅｆｅｒｅｎｃｅｓ」は、返信などで関係している他のメッセージの一覧であり、通常はＭｅｓｓａｇｅ−ＩＤが複数指定される。他のメッセージは、他のメールのことである。「Ｍｅｓｓａｇｅ−ＩＤ」は、メールを特定するためのユニークなＩＤ（Identification）である。「Ｄａｔｅ」は、メールの作成日時である。「Ｒｅｃｅｉｖｅｄ」は、メールを転送したメールサーバの任意の情報を示す文字列である。この文字列はメールサーバが追加し、以下のようなフォーマットである。フォーマットは、たとえば「Ｒｅｃｅｉｖｅｄ：ｆｒｏｍ転送サーバｂｙ転送サーバ［ｖｉａ接続プロトコル（ＵＵＣＰなど）］［ｗｉｔｈ転送プロトコル（ＳＭＴＰかＥＳＭＴＰ）］ｉｄユニークＩＤｆｏｒ宛先メールアドレス：転送日時」である。「ＭＩＭＥ−Ｖｅｒｓｉｏｎ」は、ＭＩＭＥ（Multipurpose Internet Mail Extension）のバージョンである。「Ｃｏｎｔｅｎｔ−Ｔｙｐｅ」は、「メディアタイプ」と呼ばれるボディ部分の属性を示すヘッダである。「Ｃｏｎｔｅｎｔ−Ｔｒａｎｓｆｅｒ−Ｅｎｃｏｄｉｎｇ」は、実際のデータの格納方法を示す。
【００５４】
メール本文４２は、「Ｃｏｎｔｅｎｔ−Ｔｙｐｅ」および「Ｃｏｎｔｅｎｔ−Ｔｒａｎｓｆｅｒ−Ｅｎｃｏｄｉｎｇ」の項目、ならびにバイナリ形式である実際のテキストデータを含む。メール本文４２のデータがテキストデータであるので、「Ｃｏｎｔｅｎｔ−Ｔｙｐｅ」の内容は、「ｔｅｘｔ／ｐｌａｉｎ」である。添付データ４３は、「Ｃｏｎｔｅｎｔ−Ｔｙｐｅ」および「Ｃｏｎｔｅｎｔ−Ｔｒａｎｓｆｅｒ−Ｅｎｃｏｄｉｎｇ」の項目、ならびにバイナリ形式である実際のイメージデータを含む。イメージデータがＧＩＦ（Graphic Interchange Format）ならば、「Ｃｏｎｔｅｎｔ−Ｔｙｐｅ」の内容は、「ｉｍａｇｅ／ｇｉｆ」である。
【００５５】
送信機器制御部１０は、ユーザが送信機器入力部１７によってメール一覧表示を指示すると、メール一覧、たとえば後述する受信メール一覧画面５０を送信機器表示部１６に表示する。メール一覧表示は、たとえば送信機器表示部１６に表示されるメニューから、送信機器入力部１７によってメール一覧表示を選択することによって指示される。送信機器制御部１０がメール一覧の表示を送信機器ＶＤＰ１４に指示すると、送信機器ＶＤＰ１４は、送信機器表示部１６への表示を制御する。
【００５６】
次に、送信機器制御部１０は、送信機器入力部１７によって、メール一覧の中から１つのメールが選択され、メール本文表示指示があると、メール本文表示指示のあったメール本文を、送信機器記憶部１１から読み出して送信機器表示部１６に表示する。メール本文表示指示は、たとえば送信機器表示部１６に表示されたメニューから送信機器入力部１７によってメール本文表示が選択されたことによって指示される。
【００５７】
送信機器制御部１０は、メール本文を送信機器表示部１６に表示している状態で、送信機器入力部１７によってコンテンツ一括送信指示があると、メール本文が送信機器表示部１６に表示されているメールを送信機器記憶部１１から読み出す。コンテンツ一括送信指示は、たとえば送信機器表示部１６に表示されたメニューから送信機器入力部１７によってコンテンツ一括送信が選択されたことによって指示される。送信機器制御部１０は、送信機器記憶部１１から読み出したメールのヘッダ情報、つまりメールヘッダ４１を抽出し、抽出したメールヘッダ４１を送信機器一時記憶部１２に記憶する。
【００５８】
次に、送信機器制御部１０は、抽出条件を選択する処理を行う。たとえば送信機器制御部１０は、抽出条件を選択する抽出条件選択メニューを送信機器表示部１６に表示し、ユーザが送信機器表示部１６に表示された抽出条件選択メニューの中から送信機器入力部１７によって抽出条件を選択する。
【００５９】
予め定める抽出条件である抽出条件には、たとえば電子メールのヘッダ情報の各フィールドによる条件、コンテンツの拡張子、種別、作成日時もしくは受信日時による条件、またはキーワードによる条件があり、これらを組み合わせて抽出条件とすることも可能である。電子メールのヘッダ情報の各フィールドによる条件は、たとえば「Ｆｒｏｍ」フィールドが抽出条件として指定されると、選択された電子メールの「Ｆｒｏｍ」フィールドに示される差出人アドレスと同じ差出人アドレスの電子メールが、送信候補となりうるメールのうちコンテンツが添付されているメール中から抽出され、コンテンツ受信機器３に送信される。送信候補となりうるメールは、たとえば送信機器記憶部１１に記憶されているすべてのメールであるが、選択されたメールと同じフォルダに記憶されているメールに限定することも可能である。送信候補となりうるメールは、メール一覧リストに登録される。メール一覧リストは、送信機器制御部１０によって生成され、送信機器記憶部１１に記憶される。
【００６０】
コンテンツの拡張子、種別、作成日時もしくは受信日時による条件は、コンテンツの属性による条件である。コンテンツの種別および拡張子は、データ構造４０の添付データ４３の「Ｃｏｎｔｅｎｔ−Ｔｙｐｅ」フィールドによって規定される。「種別」は、テキストかイメージかなどのデータの種別を示す情報である。受信日時は、「Ｒｅｃｅｉｖｅｄ」フィールドに含まれる転送日時が示す日時である。作成日時は、コンテンツ内部を解析するモジュールを用いて、コンテンツから取得することができる。キーワードによる条件は、メール本文に含まれる用語を検索するキーワードであり、「Ｋｅｙｗｏｒｄｓ」フィールドに規定される。電子メールを作成するプログラムであるメーラーがキーワードを指定する機能を有している場合、この「Ｋｅｙｗｏｒｄｓ」フィールドを用いることができる。
【００６１】
送信機器制御部１０は、送信候補となりうるメール、すなわちメール一覧リストに登録されたメールから、メールを１つ選択し、選択したメールにコンテンツが添付されているとき、抽出条件に合致するか否かを判定する。たとえば抽出条件として、「Ｆｒｏｍ」フィールドが選択されている場合、選択したメールの「Ｆｒｏｍ」フィールドが、送信機器一時記憶部１２に記憶したメールヘッダ４１の「Ｆｒｏｍ」フィールドの内容と合致するとき、抽出条件に合致したことになる。送信機器制御部１０は、抽出条件に合致したメールに添付されているコンテンツを、たとえばコンテンツのファイル名を、送信コンテンツリストに登録する。送信コンテンツリストは、送信機器記憶部１１に記憶される。
【００６２】
送信機器制御部１０は、送信コンテンツリストに登録されたコンテンツを、送信コンテンツリストに示された順序で送信機器記憶部１１から読み出し、読み出したコンテンツを、送信機器第３通信部２０によって、順次コンテンツ受信機器３に送信した後、コンテンツ送信処理を終了する。
【００６３】
送信機器制御部１０は、コンテンツ受信機器３での処理方法の指定処理を行う場合、たとえば、処理方法を選択するメニューを送信機器表示部１６に表示し、ユーザにメニューの中から１つの処理方法を送信機器入力部１７によって選択させるように制御する。処理方法を選択するメニューの項目には、たとえばビデオ録画再生装置に対する一括録画予約などの処理方法が含まれる。送信機器制御部１０は、処理方法が選択された場合、コンテンツの送信とともに、処理方法を表す制御データとしてコンテンツ受信機器３に送信する。
【００６４】
コンテンツ送信機器１は、コンテンツ受信機器３に対して次のようなことを行うことができる。たとえばコンテンツ受信機器３が映像表示装置であれば、コンテンツとして画像データを映像表示装置に送信して映像表示装置に表示させる。コンテンツ受信機器３が映像録画装置であれば、コンテンツとして番組情報データを映像録画装置に送信するとともに、処理方法として一括録画予約を送信して録画予約を行う。コンテンツ受信機器３がカーナビゲーションシステムであれば、コンテンツとしてグルメ情報データをカーナビゲーションシステムに送信するとともに、処理方法として目的地設定を送信して目的地の設定を行う。コンテンツ受信機器３が外部記憶装置であれば、コンテンツとして画像データを送信してバックアップを取る。
【００６５】
図３は、受信メール一覧画面５０を示す図である。受信メール一覧画面５０は、コンテンツ送信機器１の送信機器表示部１６に表示される。受信メール一覧画面５０は、たとえば送信機器表示部１６に表示されるメニューから、送信機器入力部１７によってメール一覧表示が選択されることによって表示される。受信メール一覧画面５０には、タイトル「受信メール」の下側に、１つのフォルダに含まれる複数のメールのメール件名が展開されている。メール件名は、「Ｓｕｂｊｅｃｔ」フィールドの内容である。クリップマーク５０２は、メールにコンテンツが添付されていることを示す。選択マーク５０１は、メールを選択していることを示し、図３では、最上部に表示されているメールが選択されている。
【００６６】
図４は、受信メールの内容を表示する詳細表示画面５１を示す図である。詳細表示画面５１は、図３の受信メール一覧画面５０で選択マーク５０１によって選択されているメールのメール本文を示す画面である。詳細表示画面５１には、タイトル「受信メール」の下側に、「送信者  けんた」、「件名  夏の思い出」、「日時  ０１／１５  ２０：３６」、メール本文「楽しかったね」およびメールに添付されているコンテンツである画像５１１が表示されている。
【００６７】
図５は、表示した受信メールに対する操作メニュー５２１を示す図である。図５に示した詳細表示画面５２は、図４に示した詳細表示画面５１に操作メニュー５２１が重畳して表示されている状態を示す。操作メニュー５２１は、タイトル「メニュー」の下に４つのメニューの項目が表示されている。４つのメニューの項目は、「返信」、「転送」、「添付ファイルを保存」および「関連画像一括スライドショー」である。図５では、ポインタ５２２によって、メニューの項目の中から「関連画像一括スライドショー」が選択されている。
【００６８】
図６は、表示した受信メールに対応するヘッダ情報５３１を示す図である。図６に示した詳細表示画面５３は、図４に示した詳細表示画面５１と同じ画面である。図６には、詳細表示画面５３に表示されたメール本文に対応するヘッダ情報５３１が示されている。ヘッダ情報５３１には、「Ｆｒｏｍ」フィールドの内容「けんた」、「Ｔｏ」フィールドの内容「・・・」、「Ｓｕｂｊｅｃｔ」フィールドの内容「夏の思い出」、および「Ｒｅｆｅｒｅｎｃｅ」フィールドの内容「ａａａ−ｂｂｂ−ｃｃｃ−１２３」が示されている。
【００６９】
図７は、「Ｒｅｆｅｒｅｎｃｅ」フィールドの内容で抽出されたコンテンツ群５４を示す図である。図７には、図６に示されたメールの「Ｒｅｆｅｒｅｎｃｅ」フィールドの内容、すなわち「ａａａ−ｂｂｂ−ｃｃｃ−１２３」と同じ内容の「Ｒｅｆｅｒｅｎｃｅ」フィールドであるメールに添付されているコンテンツからなるコンテンツ群５４が示されている。コンテンツ群５４は、画像５４１ａ、画像５４１ｂおよび画像５４１ｃからなるコンテンツ群であり、画像５４１ａに対応するヘッダ情報５４２ａ、画像５４１ｂに対応するヘッダ情報５４２ｂ、および画像５４１ｃに対応するヘッダ情報５４２のいずれの「Ｒｅｆｅｒｅｎｃｅ」フィールドの内容も「ａａａ−ｂｂｂ−ｃｃｃ−１２３」である。
【００７０】
図８は、コンテンツ群５４に対する一括スライドショー指示を説明するための図である。コンテンツ送信機器１は、コンテンツ群５４のコンテンツ、つまり画像データをコンテンツ受信機器３である映像表示装置３ａに送信するととともに、処理方法として「一括スライドショー指示」を送信する。映像表示装置３ａは、「一括スライドショー指示」を受信すると、コンテンツ送信機器１から受信するコンテンツ群５４のコンテンツ、つまり画像データの画像を順次画面に表示する。
【００７１】
図９は、番組情報に関する受信メール一覧画面６０を示す図である。番組情報に関する受信メール一覧画面６０は、コンテンツ送信機器１の送信機器表示部１６に表示される。受信メール一覧画面６０は、たとえば送信機器表示部１６に表示されるメニューから、送信機器入力部１７によって、番組情報のフォルダにあるメールのメール一覧表示が選択されることによって表示される。受信メール一覧画面６０には、タイトル「受信メール」の下側に、番組情報のフォルダに含まれる複数のメールのメール件名が展開されている。選択マーク６０１は、メールを選択していることを示し、図８では、最上部に表示されているメールが選択されている。
【００７２】
図１０は、受信メールの内容を表示する詳細表示画面６１を示す図である。詳細表示画面６１は、図９の受信メール一覧画面６０で選択マーク６０１によって選択されているメールのメール本文を示す画面である。詳細表示画面６１には、タイトル「受信メール」の下側に、「送信者  ＸＸテレビ」、「件名  スポーツ番組１」、「日時  ０１／１５  ２０：３６」、メール本文「スポーツ番組１の番組情報」およびメールに添付されているコンテンツである画像６１１が表示されている。
【００７３】
図１１は、表示した受信メールに対する操作メニュー６２１を示す図である。図１１に示した詳細表示画面６２は、図１０に示した詳細表示画面６１に操作メニュー６２１が重畳して表示されている状態を示す。操作メニュー６２１は、タイトル「メニュー」の下に４つのメニューの項目が表示されている。４つのメニューの項目は、「返信」、「転送」、「添付ファイルを保存」および「関連番組一括録画」である。図１１では、ポインタ６２２によって、操作メニュー６２１の項目の中から「関連番組一括録画」が選択されている。
【００７４】
図１２は、表示した受信メールに対応するヘッダ情報６３１を示す図である。図１２に示した詳細表示画面６３は、図１０に示した詳細表示画面６１と同じ画面である。図１２には、詳細表示画面６３に表示されたメール本文に対応するヘッダ情報６３１が示されている。ヘッダ情報６３１には、「Ｆｒｏｍ」フィールドの内容「ｐｒｏｇｒａｍ＠ｘｘｘ−ｔｖ．ｃｏ．ｊｐ」、「Ｔｏ」フィールドの内容「ｕｓｅｒ＠ｍｏｂｉｌｅ．ｃｏ．ｊｐ」、および「Ｓｕｂｊｅｃｔ」フィールドの内容「スポーツ１番組情報」が示されている。
【００７５】
図１３は、「Ｆｒｏｍ」フィールドの内容で抽出されたコンテンツ群６４を示す図である。図１３には、図１２に示されたメールの「Ｆｒｏｍ」フィールドの内容、すなわち「ｐｒｏｇｒａｍ＠ｘｘｘ−ｔｖ．ｃｏ．ｊｐ」と同じ内容の「Ｆｒｏｍ」フィールドであるメールに添付されているコンテンツからなるコンテンツ群６４が示されている。コンテンツ群６４は、画像６４１ａ、画像６４１ｂおよび画像６４１ｃからなるコンテンツ群であり、画像６４１ａに対応するヘッダ情報６４２ａ、画像６４１ｂに対応するヘッダ情報６４２ｂ、および画像６４１ｃに対応するヘッダ情報６４２のいずれの「Ｆｒｏｍ」フィールドの内容も「ｐｒｏｇｒａｍ＠ｘｘｘ−ｔｖ．ｃｏ．ｊｐ」である。
【００７６】
図１４は、コンテンツ群６４に対する一括録画予約指示を説明するための図である。コンテンツ送信機器１は、コンテンツ群６４のコンテンツ、つまり画像データおよびメール本文の番組情報をコンテンツとして、コンテンツ受信機器３である映像録画装置３ｂに送信するととともに、処理方法として「一括録画予約指示」を送信する。映像録画装置３ｂは、「一括録画予約指示」を受信すると、コンテンツ送信機器１から受信するコンテンツ群６４の各コンテンツの番組情報に基づいて録画予約を行う。
【００７７】
図１５は、抽出条件選択メニュー６５１を示す図である。図１５（ａ）は、図１１に示した詳細表示画面６２と同じ画面であり、ポインタ６２２によって、操作メニュー６２１の項目の中から「関連番組一括録画」が選択されている。図１５（ｂ）は、抽出条件を選択するための抽出条件選択メニュー６５１を表示した詳細表示画面６５である。詳細表示画面６２の操作メニュー６２１から「関連番組一括録画」が選択されると、送信機器制御部１０は、操作メニュー６２１に代えて、抽出条件選択メニュー６５１を表示し、詳細表示画面６５とする。
【００７８】
抽出条件選択メニュー６５１は、タイトル「メニュー：データ抽出条件」の下に３つのメニューの項目が表示されている。３つのメニューの項目は、「差出人が一致」、「受信日時指定」および「Ｒｅｆｅｒｅｎｃｅ値が一致」である。図１５（ｂ）では、ポインタ６５２によって、抽出条件選択メニュー６５１の項目の中から「Ｒｅｆｅｒｅｎｃｅ値が一致」が選択されている。「Ｒｅｆｅｒｅｎｃｅ値が一致」が選択されると、送信機器制御部１０は、「Ｒｅｆｅｒｅｎｃｅ」フィールドの内容が一致することを抽出条件とする。
【００７９】
図１６は、送信機器制御部１０が処理するコンテンツ送信処理の処理手順を示すフローチャートである。送信機器表示部１６に表示されたメニューから送信機器入力部１７によってメール一覧表示が選択されると、ステップＡ１に移る。
【００８０】
ステップＡ１では、送信機器制御部１０は、メール一覧、たとえば受信メール一覧画面５０を送信機器表示部１６に表示するように送信機器ＶＤＰ１４を制御する。ステップＡ２では、送信機器制御部１０は、送信機器入力部１７によってメール本文表示指示があったか否かを判定する。メール本文表示指示があると、ステップＡ３に進み、メール本文表示指示がないと、ステップＡ２に戻る。
【００８１】
ステップＡ３では、送信機器制御部１０は、メール一覧の中でメール本文表示指示のあったメールの本文を送信機器表示部１６に表示した後、送信機器入力部１７によってコンテンツ一括送信指示があったか否かを判定する。コンテンツ一括送信指示があると、ステップＡ４に進み、コンテンツ一括送信指示がないと、ステップＡ３に戻る。
【００８２】
抽出ステップであるステップＡ４では、送信機器制御部１０は、送信コンテンツ抽出処理を行う。送信コンテンツ抽出処理は、図１７で詳述する。ステップＡ５では、送信機器制御部１０は、登録されたコンテンツ一覧の表示処理を行う。具体的には、送信機器制御部１０は、送信機器記憶部１１に記憶された送信コンテンツリストを読み出し、コンテンツ一覧として送信機器表示部１６に表示するように送信機器ＶＤＰ１４を制御する。送信コンテンツリストには、たとえばコンテンツのファイル名が一覧として登録されている。
【００８３】
ステップＡ６では、送信機器制御部１０は、コンテンツの送信順序設定処理を行う。コンテンツの送信は、送信コンテンツリストに登録された順序で行われる。ユーザが送信機器表示部１６に表示されているコンテンツ一覧の順序を、送信機器入力部１７によって変更すると、送信機器制御部１０は、送信コンテンツリストを、送信機器入力部１７によってコンテンツ一覧に対して指示される順序に変更する。
【００８４】
ステップＡ７では、送信機器制御部１０は、コンテンツ受信機器３での処理方法の指定処理を行う。たとえば、送信機器制御部１０は、処理方法を選択するメニューを送信機器表示部１６に表示し、ユーザにメニューの中から１つの処理方法を選択送信機器入力部１７によって選択させるように制御する。処理方法を選択するメニューの項目には、たとえばビデオ録画再生装置に対する一括録画予約などの処理方法が含まれる。ステップＡ５〜Ａ７は、それぞれ個別に省略可能である。
【００８５】
送信ステップであるステップＡ８では、送信機器制御部１０は、送信コンテンツリストに登録されたコンテンツの送信処理を行って、コンテンツ送信処理を終了する。具体的には、送信機器制御部１０は、送信コンテンツリストに登録されたコンテンツを、送信コンテンツリストに示された順序で送信機器記憶部１１から読み出し、読み出したコンテンツを、送信機器第３通信部２０によって、順次コンテンツ受信機器３に送信した後、コンテンツ送信処理を終了する。送信機器制御部１０は、処理方法が選択されている場合は、コンテンツの送信とともに処理方法を表す制御データとしてコンテンツ受信機器３に送信する。
【００８６】
図１７は、送信機器制御部１０が処理する送信コンテンツ抽出処理の処理手順を示すフローチャートである。図１６に示したステップＡ４が実行されると、ステップＢ１に移る。
【００８７】
ステップＢ１では、送信機器制御部１０は、選択中メールの取り出しを行う。すなわち、送信機器表示部１６にメール本文が表示されているメールを、送信機器記憶部１１から読み出す。複数のメールを取り出す場合は、取り出すメールのメール本文を順次表示して取り出す。ステップＢ２では、送信機器制御部１０は、選択中メールのヘッダ情報の抽出を行う。すなわち、送信機器記憶部１１から読み出したメールからヘッダ情報、つまりメールヘッダ４１を抽出し、抽出したメールヘッダ４１を送信機器一時記憶部１２に記憶する。
【００８８】
ステップＢ３では、送信機器制御部１０は、抽出条件を選択する処理を行う。すなわち、抽出条件を選択するメニュー、たとえば図１５（ｂ）に示した抽出条件選択メニュー６５１を送信機器表示部１６に表示する。ユーザが送信機器表示部１６に表示されたメニューの中から送信機器入力部１７によって抽出条件を選択すると、ステップＢ４に進む。
【００８９】
ステップＢ４では、送信機器制御部１０は、次のメールがあるか否かを判定する。１回目にステップＢ４に来たときは、送信候補となりうるメールがあるか否かを判定する。２回目以降にステップＢ４に来たときは、まだ送信候補となりうるメールがあるか否かを判定する。送信候補となりうるメールがあると、次のメールがあると判定し、ステップＢ５に進み、送信候補となりうるメールがないと、次のメールがないと判定し、送信コンテンツ抽出処理を終了する。
【００９０】
ステップＢ５では、送信機器制御部１０は、メール一覧リストからメールを１つ取り出す。すなわち、メール一覧リストからメールを１つ選択する。ステップＢ６では、送信機器制御部１０は、メールにコンテンツが添付されているか否かを判定する。ステップＢ５で選択したメールに添付データがあるとき、コンテンツが添付されていると判定し、ステップＢ７に進み、ステップＢ５で選択したメールに添付データがないとき、コンテンツが添付されていないと判定し、ステップＢ４に戻る。
【００９１】
ステップＢ７では、送信機器制御部１０は、抽出条件に合致するか否かを判定する。ステップＢ５で選択したメールが抽出条件に合致するとき、ステップＢ８に進み、ステップＢ５で選択したメールが抽出条件に合致しないとき、ステップＢ４に戻る。たとえば抽出条件として、「Ｆｒｏｍ」フィールドが選択されている場合、ステップＢ５で選択したメールの「Ｆｒｏｍ」フィールドが、ステップＢ２で送信機器一時記憶部１２に記憶したメールヘッダ４１の「Ｆｒｏｍ」フィールドの内容と合致するとき、抽出条件に合致したと判定する。ステップＢ４〜Ｂ７は、データ抽出判定部１１２が実行する処理である。ステップＢ２で送信機器一時記憶部１２に記憶したメールヘッダ４１が複数ある場合は、たとえば複数のメールヘッダ４１の「Ｆｒｏｍ」フィールドのうちいずれかの「Ｆｒｏｍ」フィールドの内容と合致するとき、抽出条件に合致したと判定する。
【００９２】
ステップＢ８では、送信機器制御部１０は、抽出条件に合致したメールに添付されているコンテンツを、たとえばコンテンツのファイル名を、送信コンテンツリストに登録し、ステップＢ４に戻る。
【００９３】
図１６に示したコンテンツ送信処理および図１７に示した送信コンテンツ抽出処理は、送信機器記憶部１１に記憶されるプログラムを、送信機器制御部１０が実行することによって実行される処理である。このプログラムは、予め送信機器記憶部１１に記憶しておいてもよいし、記録媒体４に記録しておいて、記録媒体４から送信機器記憶部１１にロードしてもよいし、ネットワークを介して送信機器第２通信部１９によって送信機器記憶部１１にダウンロードしてもよい。
【００９４】
このように、送信機器記憶部１１によって、電子メールが記憶され、電子メールにコンテンツが添付されているときは電子メールがコンテンツとともに記憶される。送信機器入力部１７によって、コンテンツの送信が指示される。送信機器制御部１０によって、送信機器入力部１７の指示に応答して、送信機器記憶部１１に記憶される電子メールのうちコンテンツが添付される電子メールの中から予め定める抽出条件に合致する電子メールが抽出される。そして、送信機器第３通信部２０によって、送信機器制御部１０によって抽出された電子メールに添付されるコンテンツがコンテンツ受信機器３に送信される。
【００９５】
したがって、予め定める抽出条件に合致する関連するコンテンツをコンテンツ受信機器３にまとめて送信することができ、ユーザの操作負担を軽減し利便性を向上することができる。
【００９６】
さらに、送信機器入力部１７によって、送信機器第３通信部２０によって送信されたコンテンツをコンテンツ受信機器３に該コンテンツに応じて処理させる処理方法が選択される。送信機器第３通信部２０によって、送信機器制御部１０によって抽出されたコンテンツをコンテンツ受信機器３に送信するとき、送信機器入力部１７によって選択された処理方法を表す制御データも送信される。したがって、コンテンツの送信とともに、そのコンテンツの処理方法もコンテンツ受信機器３に指示することができる。
【００９７】
さらに、送信機器入力部１７によって、送信機器記憶部１１に記憶される電子メールの中から電子メールが選択される。そして、前記電子メールは、複数のフィールドからなるヘッダ情報を含み、前記予め定める抽出条件は、送信機器入力部１７によって選択された電子メールのヘッダ情報の予め定めるフィールドの内容に一致する内容のフィールドがあるヘッダ情報を含む電子メールであることである。したがって、抽出条件として電子メールのヘッダ情報を用いるので、より関連度の高いコンテンツ群を抽出することができる。
【００９８】
さらに、前記複数のフィールドは、「Ｒｅｆｅｒｅｎｃｅ」フィールド、「Ｆｒｏｍ」フィールド、「Ｓｅｎｄｅｒ」フィールドおよび「Ｓｕｂｊｅｃｔ」フィールドを含み、前記予め定めるフィールドは、「Ｒｅｆｅｒｅｎｃｅ」フィールド、「Ｆｒｏｍ」フィールド、「Ｓｅｎｄｅｒ」フィールドおよび「Ｓｕｂｊｅｃｔ」フィールドのうちのいずれか１つ、またはこれらのフィールドを組み合わせたフィールドである。したがって、抽出条件として電子メールのヘッダ情報に含まれるフィールドの内容を用いるので、より関連度の高いコンテンツ群を抽出することができる。
【００９９】
さらに、送信機器入力部１７によって、送信機器記憶部１１に記憶される電子メールの中から電子メールが選択される。送信機器記憶部１１に記憶される電子メールに添付されるコンテンツには、コンテンツの属性を表す属性情報が付与され、前記予め定める抽出条件は、送信機器入力部１７によって選択された電子メールに添付されるコンテンツの属性情報に一致する属性情報を含む電子メールであることである。したがって、抽出条件としてコンテンツの属性情報を用いるので、関連度の高いコンテンツ群を抽出することができる。
【０１００】
さらに、前記属性情報は、コンテンツの拡張子、コンテンツの種別、コンテンツの作成日時およびコンテンツの受信日時のうちのいずれか１つ、またはこれらを組み合わせた属性情報である。したがって、抽出条件としてコンテンツの属性情報のうち、拡張子、種別、作成日時または受信日時を用いるので、より関連度の高いコンテンツ群を抽出することができる。
【０１０１】
さらに、送信機器入力部１７によって、送信機器記憶部１１に記憶される電子メールの中から電子メールが選択される。そして、前記電子メールは、キーワードを規定する「Ｋｅｙｗｏｒｄｓ」フィールドを含むヘッダ情報、およびメール本文を含み、前記予め定める抽出条件は、送信機器入力部１７によって選択された電子メールのヘッダ情報の「Ｋｅｙｗｏｒｄｓ」フィールドのキーワードに一致するキーワードを含むメール本文を含む電子メールであることである。したがって、電子メールの本文にキーワードがあるか否かでコンテンツを抽出することができる。
【０１０２】
さらに、電子メールを記憶し、電子メールにコンテンツが添付されているときは電子メールをコンテンツとともに記憶する送信機器記憶部１１およびコンテンツの送信を指示する送信機器入力部１７を含むコンテンツ送信機器１によってコンテンツをコンテンツ受信機器３に送信するにあたって、図１６に示したステップＡ４では、送信機器入力部１７の指示に応答して、送信機器記憶部１１に記憶される電子メールのうちコンテンツが添付される電子メールの中から予め定める抽出条件に合致する電子メールを抽出する。そして、図１６に示したステップＡ８では、図１６に示したステップＡ４で抽出された電子メールに添付されるコンテンツを送信する。したがって、関連するコンテンツをコンテンツ受信機器３にまとめて送信することができ、ユーザの操作負担を軽減し利便性を向上することができる。
【０１０３】
さらに、電子メールを記憶し、電子メールにコンテンツが添付されているときは電子メールをコンテンツとともに記憶する送信機器記憶部１１、コンテンツの送信を指示する送信機器入力部１７、およびコンピュータを含むコンテンツ送信機器１のＣＰＵに、送信機器入力部１７の指示に応答して、送信機器記憶部１１に記憶される電子メールのうちコンテンツが添付される電子メールの中から予め定める抽出条件に合致する電子メールを抽出する図１６に示したステップＡ４と、図１６に示したステップＡ４で抽出された電子メールに添付されるコンテンツを送信する図１６に示したステップＡ８とを実行させるためのプログラムとして提供することができる。
【符号の説明】
【０１０４】
１  コンテンツ送信機器
２  通信部
３  コンテンツ受信機器
３ａ  映像表示装置
３ｂ  映像録画装置
４  記録媒体
５  基地局
６  電話網
７  インターネット
１０  送信機器制御部
１１  送信機器記憶部
１２  送信機器一時記憶部
１３  記録媒体アクセス部
１４  送信機器ＶＤＰ
１５  送信機器ＶＲＡＭ
１６  送信機器表示部
１７  送信機器入力部
１８  送信機器第１通信部
１９  送信機器第２通信部
２０  送信機器第３通信部
２１  アンテナ
３０  受信機器制御部
３１  受信機器記憶部
３２  受信機器一時記憶部
３３  データ処理部
３４  受信機器ＶＤＰ
３５  受信機器ＶＲＡＭ
３６  受信機器表示部
３７  受信機器入力部
３８  受信機器第２通信部
３９  受信機器第３通信部
４０  データ構造
４１  メールヘッダ
４２  メール本文
４３  添付データ
５０，６０  受信メール一覧画面
５１〜５３，６１〜６３  詳細表示画面
５４，６４  コンテンツ群
１１１，３１１  プログラム部
１１２  データ抽出判定部
１１３  データ部
１１４  データ抽出パターン
【図１】
2011086195.tif 000003
【図２】
2011086195.tif 000004
【図３】
2011086195.tif 000005
【図４】
2011086195.tif 000006
【図５】
2011086195.tif 000007
【図６】
2011086195.tif 000008
【図７】
2011086195.tif 000009
【図８】
2011086195.tif 000010
【図９】
2011086195.tif 000011
【図１０】
2011086195.tif 000012
【図１１】
2011086195.tif 000013
【図１２】
2011086195.tif 000014
【図１３】
2011086195.tif 000015
【図１４】
2011086195.tif 000016
【図１５】
2011086195.tif 000017
【図１６】
2011086195.tif 000018
【図１７】
2011086195.tif 000019